(57)【要約】【課題】  高温環境下においても虚像の表示に歪みが生じないヘッドアップディスプレイ装置を提供する。【解決手段】  本発明に係るヘッドアップディスプレイ装置Ｈは、光源１０と、光源１０を収容し光源１０が発した光Ｌを出射する開口部６０を有するケース体６と、開口部６０を覆うカバーガラス７と、を備えた、車両に搭載されるヘッドアップディスプレイ装置であって、開口部６０はカバーガラス７を支持する載置部６１を有し、載置部６１の車両の前後方向に延びる対辺は、平坦部６１ａと、楕円弧部６１ｂと、を有し、平坦部６１ｂの溶着部Ｐ１，Ｐ２にカバーガラス７が溶着される、ように構成した。【選択図】  図２
2018120029.tif 000002
【特許請求の範囲】
【請求項１】
光源と、前記光源を収容し前記光源が発した光を出射する開口部を有するケース体と、前記開口部を覆うカバーガラスと、を備えた車両に搭載されるヘッドアップディスプレイ装置であって、
前記開口部は前記カバーガラスを支持する載置部を有し、
前記載置部の前記車両の前後方向に延びる対辺は、平坦部と、楕円弧部と、を有し、
前記平坦部に前記カバーガラスが溶着される、
ことを特徴とするヘッドアップディスプレイ装置。
【請求項２】
前記平坦部は、前記車両の前方側に位置する、
ことを特徴とする請求項１に記載のヘッドアップディスプレイ装置。
【請求項３】
前記ケース体に収容され前記光源の光を反射する凹面鏡を有し、
前記平坦部は、前記凹面鏡側に位置する、
ことを特徴とする請求項１または請求項２に記載のヘッドアップディスプレイ装置。
【請求項４】
前記カバーガラスの裏面には、枠状の遮光性粘着印刷層が形成され、
前記載置部に前記遮光性粘着層が接着する、
ことを特徴とする請求項１乃至３の何れか１項に記載のヘッドアップディスプレイ装置。
【発明の詳細な説明】
【技術分野】
【０００１】
本発明は、表示光を出射する出射口を覆う透光性のカバーガラスを有するヘッドアップディスプレイ装置に関する。
【背景技術】
【０００２】
従来のヘッドアップディスプレイ装置として特許文献１に開示されたものがある。このヘッドアップディスプレイ装置は、ケース体に形成された表示光を取捨する出射口が形成されており、この出射口に湾曲形状の透光性樹脂製のカバーガラスが溶着により固定されている。
【先行技術文献】
【特許文献】
【０００３】
【特許文献１】特開２０１２−３２７２１
【発明の概要】
【発明が解決しようとする課題】
【０００４】
しかしながら、溶着によって固定する場合、カバーガラスとケース体との熱膨張率が異なるため、高温環境下では溶着された箇所を基点にカバーガラスに歪みが生じる。そのため、高温環境下では虚像の表示に歪みが生じてしまうという課題があった。
【０００５】
本発明は、上述した課題に鑑みてなされたものであり、高温環境下においても虚像の表示に歪みが生じないヘッドアップディスプレイ装置を提供することを目的とする。
【課題を解決するための手段】
【０００６】
本発明に係るヘッドアップディスプレイ装置は、
光源と、前記光源を収容し前記光源が発した光を出射する開口部を有するケース体と、前記開口部を覆うカバーガラスと、を備えた車両に搭載されるヘッドアップディスプレイ装置であって、
前記開口部は前記カバーガラスを支持する載置部を有し、
前記載置部の前記車両の前後方向に延びる対辺は、平坦部と、楕円弧部と、を有し、
前記平坦部に前記カバーガラスが溶着される。
【０００７】
また、本発明に係るヘッドアップディスプレイ装置の
前記平坦部は、前記車両の前方側に位置する、
ように構成することが好ましい。
【０００８】
また、本発明に係るヘッドアップディスプレイ装置の
前記ケース体に収容され前記光源の光を反射する凹面鏡を有し、
前記平坦部は、前記凹面鏡側に位置する、
ように構成することが好ましい。
【０００９】
また、本発明に係るヘッドアップディスプレイ装置の
前記カバーガラスの裏面には、枠状の遮光性粘着印刷層が形成され、
前記載置部に前記遮光性粘着層が接着する、
ように構成することが好ましい。
【発明の効果】
【００１０】
本発明によれば、高温環境下においても虚像の表示に歪みが生じないヘッドアップディスプレイ装置が提供できる。
【図面の簡単な説明】
【００１１】
【図１】本発明の実施形態であるヘッドアップディスプレイ装置の構成概略図。
【図２】同ヘッドアップディスプレイ装置の上面図。
【図３】同ヘッドアップディスプレイ装置のＡ−Ａ断面図。
【図４】同ヘッドアップディスプレイ装置のＢ−Ｂ断面図。
【発明を実施するための形態】
【００１２】
本発明の実施形態であるヘッドアップディスプレイ装置Ｈを添付図面を参照して説明する。以下の説明において、図１，図２の矢印で示すように、車両の前方方向を「前」、後方向を「後」、左方向を「左」、右方向を「右」として定義して説明する。
【００１３】
ヘッドアップディスプレイ装置Ｈは、図１に示すように、光源基板１と、レンズ２と、表示パネル３と、反射鏡４と、下ケース５と、上ケース６と、カバーガラス７から主に構成される。
【００１４】
光源基板１は、発光ダイオードなどの光源１０が複数設けられた回路基板である。光源基板１は、図示しない制御手段に制御されて光源１０から光を発する。
【００１５】
レンズ２は、レンズアレイやフィールドレンズなどの種々のレンズであり、光源１０から発せられた点光源を略平行光にして表示パネル３を背面から照明する。
【００１６】
表示パネル３は、液晶パネルであり、図示しない制御手段に制御された表示面に車両情報画像を表示する。車両情報画像は、例えば、車両の走行速度やエンジン回転数、経路案内情報などを表す画像である。表示パネル３は背面から照明されることにより表示面に表示した画像を表示光Ｌとして反射鏡４に向けて出射する。
【００１７】
反射鏡４は、凹面鏡であり、ヘッドアップディスプレイ装置Ｈが搭載される車掌のウィンドシールドＷＳに向けて表示光Ｌを反射する。
【００１８】
ウィンドシールドＷＳに投射された表示光Ｌは虚像Ｖとして運転者に視認される。
【００１９】
下ケース５と上ケース６は光源基板１とレンズ２と表示パネル３と反射鏡４とを収容するケース体である。
【００２０】
下ケース５は、ポリプロピレンやＡＢＳ樹脂などの不透過樹脂で有底箱状に形成される。
【００２１】
上ケース６は、ポリプロピレンやＡＢＳ樹脂などの不透過樹脂で形成された下ケース５の上蓋である。上ケース６には、表示光Ｌを出射する出射口（開口部）６０と、カバーガラス７を載置する載置部６１が形成されている。載置部６１は、車両の前後方向に延びる対辺に平坦部６１ａと楕円弧部６１ｂを有する。駄円弧部６１ｂは、図３のＡ−Ａ断面図に示すように、車両の前後方向に湾曲しており、この湾曲によりカバーガラス７に照射された太陽光などの外光が車両の搭乗者に向かって反射することを防いでいる。
【００２２】
カバーガラス７は、アクリル樹脂などの透光性樹脂で形成された薄板状の基材７０から主に構成されるカバーである。
【００２３】
基材７０の裏面（下ケース５内面側）には、枠状の遮光粘着印刷層７１がスクリーン印刷されて形成されている。この遮光粘着印刷層７１は、黒色インクを含有し、主成分がアクリル共重合体からなる水性アクリルエマルジョン型接着剤であり、遮光性と粘着性を有する。この遮光粘着印刷層７１は、カバーガラス７が載置部６１に載置されたときの表示光Ｌの主たる光軸が通過しない外縁領域７０ａに形成されており、迷光が虚像として表示されることを防ぐ。
【００２４】
また、カバーガラス７は、載置部６１に沿って載置されて遮光粘着印刷層７１により接着されて車両の前後方向に湾曲し、太陽光などの外光が車両の搭乗者に向かって反射することを防ぐ。カバーガラス７は、遮光粘着印刷層７１が形成されていない外縁領域７０ａ以外の領域である透過領域７０ｂから表示光を出射する。
【００２５】
カバーガラス７は、載置部６１に沿って車両の前後方向に湾曲するため、復元力により剥離する虞がある。そのため、車両の前後方向に延びる対辺のカバーガラス７と載置部６１とを溶着固定する。溶着固定するにあたっては、載置部６１の楕円弧部６１ｂを溶着固定すると、ヘッドアップディスプレイ装置Ｈが高温環境下に晒された場合に、カバーガラス７と上ケース６との熱膨張率の違いにより溶着された箇所を基点にカバーガラス７の透過領域７０ｂに歪みが生じて、虚像Ｖが歪んで表示されてしまう。よって、載置部６１の楕円弧部６１ｂでは溶着せず、楕円弧部６１ｂから所定距離離間した平坦部６１ａの溶着部Ｐ１，Ｐ２でカバーガラス７を上ケース６にスポット溶着固定する。
【００２６】
以上のように、本発明に係るヘッドアップディスプレイ装置Ｈは、光源１０と、光源１０を収容し光源１０が発した光Ｌを出射する開口部６０を有するケース体６と、開口部６０を覆うカバーガラス７と、を備えた、車両に搭載されるヘッドアップディスプレイ装置であって、開口部６０はカバーガラス７を支持する載置部６１を有し、載置部６１の車両の前後方向に延びる対辺は、平坦部６１ａと、楕円弧部６１ｂと、を有し、平坦部６１ａにカバーガラス７が溶着される、ように構成した。
【００２７】
以上のように構成することで、開口部６０を覆うカバーガラス７が剥離することなく高温環境下においてもカバーガラス７の透過領域７０ｂが歪まないため、高温環境下においても虚像の表示に歪みが生じないヘッドアップディスプレイ装置を提供できる。
【００２８】
以上、本発明の実施形態であるヘッドアップディスプレイ装置を説明した。本発明は上述した実施形態に限定されず、本発明の要旨に逸脱しない範囲で実施形態および図面に変更（構成要素の削除も含む）できる。
【産業上の利用可能性】
【００２９】
本発明は、車両に搭載されるヘッドアップディスプレイ装置に好適である。
【符号の説明】
【００３０】
Ｈ…ヘッドアップディスプレイ装置，１…光源基板，１０…光源，２…レンズ，３…液晶パネル，４…反射鏡（凹面鏡），５…下ケース，６…上ケース，６０…出射口（開口部），６１…載置部，６１ａ…平坦部，６１ｂ…楕円弧部，７…カバーガラス，７０…基材，７１…遮光性粘着印刷層
【図１】
2018120029.tif 000003
【図２】
2018120029.tif 000004
【図３】
2018120029.tif 000005
【図４】
2018120029.tif 000006